(57)【要約】【課題】  ロール体の浮き上がりを防止し、ロール体の投入を容易にし、不具合が生じにくく、連続紙の引き出し角度を確実に浅くすることを目的とする。【解決手段】  ロール体収容室２０及びロール体投入口２１をそれぞれ有する本体部２と、ロール体投入口２１を開閉する扉部３と、ロール体収容室２０内のロール体Ａの中心軸線Ｏに直交する中心基準線Ｌの一方側に配置され、中心基準線Ｌの一方側の部分から引き出された連続紙Ａ１の引き出し部Ａ２を他方側から押さえるガイド部４と、中心基準線Ｌの他方側に配置され、連続紙Ａ１に処理を行う処理部５と、を備える連続紙処理装置１において、ガイド部４を、引き出し部Ａ２を他方側から押さえる第１の位置と、引き出し部Ａ２とロール体Ａの間から外れた第２の位置と、の間で移動させるガイド部移動手段６が備えられ、ガイド部４及びガイド部移動手段６がロール体収容室２０内に配設されている。【選択図】  図１
2009078522.tif 000002
【特許請求の範囲】
【請求項１】
連続紙が巻かれてなるロール体を収容するロール体収容室及び該ロール体収容室に前記ロール体を投入するためのロール体投入口をそれぞれ有する本体部と、
前記ロール体投入口を開閉する扉部と、
前記ロール体収容室内の前記ロール体の中心軸線に直交する中心基準線の一方側に配置され、前記ロール体のうちの前記中心基準線の一方側の部分から引き出された連続紙の引き出し部を他方側から押さえるガイド部と、
前記中心基準線の他方側に配置され、前記ガイド部を経由して繰り出された連続紙に処理を行う処理部と、
を備える連続紙処理装置において、
前記ガイド部を、前記引き出し部を他方側から押さえる第１の位置と、前記引き出し部と前記ロール体の間から外れた第２の位置と、の間で移動させるガイド部移動手段が備えられ、
前記ガイド部及び前記ガイド部移動手段が前記ロール体収容室内に配設されている、ことを特徴とする連続紙処理装置。
【請求項２】
前記ガイド部移動手段は、前記扉部の開閉動作に連動して作動する手段であり、前記扉部の開動作に連動して前記第２の位置に前記ガイド部を移動させ、前記扉部の閉動作に連動して前記第１の位置に前記ガイド部を移動させる、ことを特徴とする請求項１記載の連続紙処理装置。
【請求項３】
前記ガイド部移動手段は、
前記ロール体の端面に対向する前記ロール体収容室の壁面に沿ってスライド可能に設けられ、前記扉部の閉動作に伴い該扉部に設けられた押圧部によって押圧されてスライドするスライダーと、
前記押圧部によってスライドした前記スライダーを元の位置に戻す方向へ付勢する付勢部材と、
を備えており、
前記スライダーには、前記スライダーのスライド方向に延在するとともに前記壁面に直交する仮想平面に沿って前記ガイド部が回転可能に設けられ、
該ガイド部の回転軸部には、前記ガイド部の中心軸線に交差する方向に延在する係合部が突設されており、
前記スライダーが前記押圧部によってスライドする前の状態において、前記壁面に形成された孔部の中に前記係合部が挿入されるとともに、前記ガイド部が前記壁面に沿って前記第２の位置に配置され、前記スライダーが前記押圧部によってスライドした後の状態において、前記係合部は前記孔部から外れるとともに、前記ガイド部が前記壁面から突出して前記第１の位置に配置される、ことを特徴とする請求項２記載の連続紙処理装置。
【請求項４】
前記孔部のロール体投入口側の反対側の端面は、該反対側に向かうに従い、前記孔部の深さが漸次浅くなる傾斜面になっている、ことを特徴とする請求項３記載の連続紙処理装置。
【請求項５】
前記スライダーが前記押圧部によってスライドする前の状態において、前記孔部のロール体投入口側の端面に、前記係合部が当接される、ことを特徴とする請求項３又は４の何れか一項に記載の連続紙処理装置。
【発明の詳細な説明】
【技術分野】
【０００１】
本発明は、連続紙に対して印刷または熱活性化などの処理を行う連続紙処理装置に関する。
【背景技術】
【０００２】
従来、ロール体から連続紙を順次繰り出して、繰り出された連続紙に対して印刷または熱活性化などの処理を行い、処理された部分を切断して単票紙を得る連続紙処理装置が公知である。
【０００３】
このような連続紙処理装置として、例えば下記の特許文献１に開示されているように、ロール体の芯を支持せずにロール体を収容するだけの、いわゆる投げ込み方式のものがある。この連続紙処理装置は、本体部の内部にロール体収容室を有するとともに、本体部の前面にロール体投入口が形成されている。また、上記した本体部の前面にはロール体投入口を開閉する扉部が設けられている。また、ロール体収容室の上方であって本体部の前面側の部分には、連続紙にサーマルプリントを行うサーマルヘッドや、連続紙を繰り出すだめのプラテンローラが配設されている。上記サーマルヘッドは本体部に固定されており、上記プラテンローラは扉部の上部に固定されている。これらサーマルヘッドとプラテンローラとは、扉部が閉じられた状態において上下に近接して配置され、これらの間に、ロール体のうちの後側から引き出された連続紙が挟み込まれる。上記した構成からなる連続紙処理装置にロール体を交換する場合には、扉部を開け、ロール体投入口からロール体を投入してロール体収容室内にロール体を載置し、ロール体から引き出した連続紙をサーマルヘッドとプラテンローラとの間に挟み込ませるようにして扉部を閉じるだけでよい。
【０００４】
また、上記した投げ込み方式の連続紙処理装置には、ロール体から引き出された連続紙の引き出し部分を前側から押さえるガイド部が備えられている。このガイド部は、扉部の内面に突出した状態で設けられており、扉部を閉じることで連続紙の引き出し部分を押さえる構成になっている。これにより、ロール体からの連続紙の引き出し角度が浅くなり、連続紙の引き出し時におけるロール体の浮き上がりを防止することができる。
【特許文献１】特開２００４−３０６５６１号公報
【発明の開示】
【発明が解決しようとする課題】
【０００５】
しかしながら、上記した従来の連続紙処理装置では、扉部の内面にガイド部が突出した状態で設けられているため、扉部を開けてロール体を投入する際にガイド部が邪魔になり、ロール体を投入しにくいという問題がある。
また、上記した問題に鑑みて、扉部の開閉に合わせてガイド部を回動させるリンク機構を扉部に設け、扉部が開けられると同時にガイド部が倒れ、扉部が閉じられると同時にガイド部が立ち上がるようにする解決手段が考えられるが、扉部に設けられたリンク機構はロール体交換時にユーザーが触れられる位置にあり、ユーザーによるリンク機構の不具合（変形等）が生じ易いという問題が想定される。リンク機構に不具合が生じると、ガイド部が回動せず、連続紙の引き出し部分を押さえることができない場合がある。
【０００６】
本発明は、上記した従来の問題が考慮されたものであり、ロール体の浮き上がりを防止できるとともに、ロール体を容易に投入することができ、さらに、不具合が生じにくく、連続紙の引き出し角度を確実に浅くできる連続紙処理装置を提供することを目的としている。
【課題を解決するための手段】
【０００７】
本発明に係る連続紙処理装置は、連続紙が巻かれてなるロール体を収容するロール体収容室及び該ロール体収容室に前記ロール体を投入するためのロール体投入口をそれぞれ有する本体部と、前記ロール体投入口を開閉する扉部と、前記ロール体収容室内の前記ロール体の中心軸線に直交する中心基準線の一方側に配置され、前記ロール体のうちの前記中心基準線の一方側の部分から引き出された連続紙の引き出し部を他方側から押さえるガイド部と、前記中心基準線の他方側に配置され、前記ガイド部を経由して繰り出された連続紙に処理を行う処理部と、を備える連続紙処理装置において、前記ガイド部を、前記引き出し部を他方側から押さえる第１の位置と、前記引き出し部と前記ロール体の間から外れた第２の位置と、の間で移動させるガイド部移動手段が備えられ、前記ガイド部及び前記ガイド部移動手段が前記ロール体収容室内に配設されている、ことを特徴としている。
【０００８】
このような特徴により、ロール体を交換する際、まず、扉部を開けて、ロール体投入口を開放させるとともに、ガイド部移動手段によってガイド部を第２の位置に移動させて、連続紙（ロール体）に干渉しない位置にガイド部を出しておく。次に、ロール体投入口からロール体収容室にロール体を投入する。このとき、ロール体は、連続紙が中心基準線の一方側（処理部の反対側）から引き出されるような向きにして投入する。次に、扉部を閉じるとともに、ガイド部移動手段によってガイド部を第１の位置に移動させて、連続紙の引き出し部を他方側から押さえる。これにより、連続紙の引き出し角度が浅くなる。以上により、ロール体の交換が完了する。
【０００９】
また、本発明に係る連続紙処理装置は、前記ガイド部移動手段が、前記扉部の開閉動作に連動して作動する手段であり、前記扉部の開動作に連動して前記第２の位置に前記ガイド部を移動させ、前記扉部の閉動作に連動して前記第１の位置に前記ガイド部を移動させることが好ましい。
【００１０】
これにより、扉部を開けると同時に、ガイド部が移動して第２の位置に配置されてロール体と連続紙の引き出し部との間の外に出される。一方、扉部を閉じると同時に、ガイド部が移動して第１の位置に配置され、連続紙の引き出し部が他方側から押さえられる。
【００１１】
また、本発明に係る連続紙処理装置は、前記ガイド部移動手段が、前記ロール体の端面に対向する前記ロール体収容室の壁面に沿ってスライド可能に設けられ、前記扉部の閉動作に伴い該扉部に設けられた押圧部によって押圧されてスライドするスライダーと、前記押圧部によってスライドした前記スライダーを元の位置に戻す方向へ付勢する付勢部材と、を備えており、前記スライダーには、前記スライダーのスライド方向に延在するとともに前記壁面に直交する仮想平面に沿って前記ガイド部が回転可能に設けられ、該ガイド部の回転軸部には、前記ガイド部の中心軸線に交差する方向に延在する係合部が突設されており、前記スライダーが前記押圧部によってスライドする前の状態において、前記壁面に形成された孔部の中に前記係合部が挿入されるとともに、前記ガイド部が前記壁面に沿って前記第２の位置に配置され、前記スライダーが前記押圧部によってスライドした後の状態において、前記係合部は前記孔部から外れて前記壁面に摺接されるとともに、前記ガイド部が前記壁面から突出して前記第１の位置に配置される、ことが好ましい。
【００１２】
これにより、扉部が開けられると、押圧部が扉部とともに移動し、押圧部によるスライダーへの押圧が解除される。これにより、付勢部材による付勢によりスライダーがスライドし、壁面に形成された孔部の中に係合部が挿入されるとともにガイド部が回動して壁面に沿って配置され、ガイド部が第２の位置に配置される。一方、扉部が閉じられると、押圧部が扉部とともに移動してスライダーを押圧する。これにより、スライダーがスライドし、係合部が孔部から外れて壁面に摺接するとともにガイド部が回動して壁面から突出し、ガイド部が第１の位置に配置される。
【００１３】
また、本発明に係る連続紙処理装置は、前記孔部のロール体投入口側の反対側の端面が、該反対側に向かうに従い、前記孔部の深さが漸次浅くなる傾斜面になっていることが好ましい。
【００１４】
これにより、スライダーがスライドするとともに係合部が孔部端面の傾斜面上を摺動してガイド部が回動するので、係合部が孔部から外れる際の衝撃（負荷）が軽減され、ガイド部がスムーズに回動する。
【００１５】
また、本発明に係る連続紙処理装置は、前記スライダーが前記押圧部によってスライドする前の状態において、前記孔部のロール体投入口側の端面に、前記係合部が当接されることが好ましい。
【００１６】
これにより、扉部が開けられ、押圧部によるスライダーへの押圧が解除され、付勢部材による付勢によりスライダーがスライドしたとき、係合部が孔部のロール体投入口側の端面に当接したところでスライダーは止まり、スライダーは所定の位置に配置される。
【発明の効果】
【００１７】
本発明に係る連続紙処理装置によれば、ガイド部によって連続紙の引き出し部が押さえられ、連続紙の引き出し角度が浅くなるため、連続紙の引き出し時におけるロール体の浮き上がりを防止することができる。また、ガイド部移動手段によってガイド部が連続紙の繰り出し経路の外に出されるので、ロール体をロール体収容室に投入する際、ガイド部が邪魔にならず、ロール体を容易に投入することができ、作業性を向上させることができる。さらに、ロール体収容室内にガイド部及びガイド部移動手段が設けられており、ユーザーが触れにくい場所にガイド部及びガイド部移動手段があるため、ガイド部及びガイド部移動手段に不具合が生じにくく、連続紙の引き出し角度を確実に浅くすることができる。
【発明を実施するための最良の形態】
【００１８】
以下、本発明に係る連続紙処理装置の実施の形態について、図面に基いて説明する。
【００１９】
図１は後述する扉部３が閉じられた状態の連続紙処理装置１の断面図であり、図２は後述する扉部３が開けられた状態の連続紙処理装置１の断面図である。なお、本実施の形態では、図１、図２における左側を後方（本発明における一方側に相当する。）とし、図１、図２における右側を前方（本発明における他方側に相当する。）とし、図１、図２における縦方向を上下方向とする。また、図１に示す鉛直方向に延在する鎖線Ｌは、後述するロール体Ａの中心軸線Ｏに直交する中心基準線を示す仮想線であり、この中心基準線Ｌは、後述する本体部２の前後方向の略中央位置を通っている。
【００２０】
図１、図２に示すように、連続紙処理装置１は、連続紙Ａ１に処理を施すための装置であり、その概略構成としては、本体部２と、扉部３と、ガイド部４と、処理部５と、ガイド部移動手段６と、を備えている。
【００２１】
本体部２の内部には、連続紙Ａ１が巻かれてなるロール体Ａを収容するロール体収容室２０が形成されているとともに、本体部２の前面側には、ロール体収容室２０にロール体Ａを投入するためのロール体投入口２１が形成されており、さらに、本体部２の後方側の上面には、図示せぬ操作パネルに電気的に接続されて連続紙処理装置１を制御する制御基板２２が設けられている。ロール体収容室２０は、本体部２の後壁２３と、両側の側壁２４と、上壁２５と、扉部３と、によって囲まれた空間である。なお、上記した側壁２４の内面が本発明の壁面に相当する。このロール体収容室２０の内部には、ロール体Ａの残量を検知するセンサ２６が設けられている。ロール体投入口２１は、間隔をあけて対向配置された両側の側壁２４間に形成されており、ロール体投入口２１の幅寸法は、ロール体Ａの軸線方向の長さよりも大きくなっている。
【００２２】
扉部３は、上記したロール体投入口２１を開閉するためのものであり、本体部２に対して回転（揺動）可能に取り付けられている。詳しく説明すると、扉部３は、ロール体収容室２０の底面を塞ぐ底板部３０と、底板部３０の前端から斜め前方に立設されてロール体収容室２０の前面下部を塞ぐ傾斜板部３１と、傾斜板部３１の上端から鉛直上方に立設されてロール体収容室２０の前面上部を塞ぐ縦板部３２と、を備えている。
【００２３】
底板部３０の上面（内面）には、ロール体Ａを支持するための一対の台座３４Ａ，３４Ｂが設けられている。一対の台座３４Ａ，３４Ｂは、前後方向に並べられており、後方側の台座３４Ａの上面は、扉部３が閉じられた状態において後方側から前方側へ向かうに従い下方に傾斜した傾斜面３４ａとなっており、また、前方側の台座３４Ｂは、扉部３が閉じられた状態において前方側から後方側へ向かうに従い下方に傾斜した傾斜面３４ｂとなっている。つまり、一対の台座３４Ａ，３４Ｂの上面（傾斜面３４ａ、３４ｂ）は、逆ハ字状（略Ｖ字状）になっている。
【００２４】
傾斜板部３１の両側端には、扉部３の回転軸３５が設けられている。この回転軸３５は、左右方向（ロール体Ａの軸線に平行する方向）に延在する軸であり、本体部２の側壁２４に支持されている。扉部３は、上記した回転軸３５を中心に揺動可能になっている。
縦板部３２の内面（後方側の面）には、ロール体Ａを投入する際にロール体Ａを仮置きするための仮台座３３が設けられている。この仮台座３３の先端面は、扉部３が閉じられた状態において上方側から下方側へ向かうに従い前方側に傾斜した傾斜面３３ａとなっており、扉部３が開けられた状態において、前方側の台座３４Ｂの上面（傾斜面３４ｂ）と仮台座３３の上面（傾斜面３３ａ）は、逆ハ字状（略Ｖ字状）になる。
【００２５】
また、扉部３には、ガイド部移動手段６を作動させるためのトリガー機能を発揮する押圧部３７が設けられている。詳しく説明すると、押圧部３７は、縦板部３２の内面から突出する略長方形状の板材からなる。押圧部３７の基端部には、回転軸３７ａが設けられており、押圧部３７は、前後方向に延在する仮想鉛直面に沿って回転可能に設けられている。また、押圧部３７には、トーションバネ等の図示せぬ弾性部材が備えられており、この弾性部材の弾性力により、押圧部３７に作用する力が解除されたとき、押圧部３７は縦板部３２に対して略垂直に突出する位置に戻される。
【００２６】
処理部５は、ロール体収容室２０の前方斜め上方に配設されており、中心基準線Ｌの前方側に配置されている。処理部５は、本体部２の前部に固定されてロール体投入口２１の上方に位置する処理ヘッド５０と、扉部３の上部に固定されて処理ヘッド５０に対向して位置するプラテンローラ５１と、を備えている。処理ヘッド５０とプラテンローラ５１との間には、連続紙処理装置１によって処理される連続紙Ａ１が挟み込まれる。プラテンローラ５１は、連続紙Ａ１を処理ヘッド５０に対して押し付けて支持するとともに、図示せぬ駆動手段で回転駆動することによって連続紙Ａ１を順次搬送するものである。処理ヘッド５０は、プラテンローラ５１に支持された連続紙Ａ１に対して処理を行うものであり、その一例としては、記録可能面を有する連続紙に記録を行う記録ヘッド、または、感熱性粘着面を有する連続紙を加熱して粘着性を発現させる熱活性化ヘッドである。処理ヘッド５０及びプラテンローラ５１の下流側（後方側）には、処理ヘッド５０による処理後に連続紙Ａ１を切断する切断手段５２が設けられている。切断手段５２は、例えば、本体部２に設けられて上下方向に往復運動する図示せぬ可動刃と、扉部３の上部に固定されて前記可動刃に対向する固定刃５２ａとからなり、可動刃が固定刃５２ａに向かって移動することによって、連続紙Ａ１が切断される。なお、図１では、可動刃は後退位置にあり、図面上に示されていない。
【００２７】
ガイド部４は、ロール体Ａからの連続紙Ａ１の引き出し角度を浅くするために連続紙Ａ１の繰り出し経路をガイドするものであり、ロール体収容室２０内に設けられている。具体的に説明すると、ガイド部４は、本体部２の側壁２４から突出する丸棒状の部材からなり、中心基準線Ｌの後方側に配置され、ロール体Ａのうちの中心基準線Ｌの後方側から引き出された連続紙Ａ１の引き出し部Ａ２（ロール体Ａと処理部５との間の部分）を前方側から押さえる。また、ガイド部４は、連続紙Ａ１の引き出し部Ａ２を前方側から押さえる第１の位置（図１に示す位置）と、引き出し部Ａ２とロール体Ａの間から外れた第２の位置（図２に示す位置）と、の間で移動可能になっている。具体的に説明すると、ガイド部４は、仮想水平面（後述するスライダー６０のスライド方向、つまり前後方向に延在し、且つ側壁２４の内面に直交する仮想平面）に沿って回転可能に設けられており、ガイド部移動手段６によって、側壁２４の内面から突出する第１の位置と側壁２４の内面に沿って配置される第２の位置との間で回動可能になっている。
【００２８】
図３はガイド部移動手段６の拡大図である。また、図４（ａ）は図２に示すＸ−Ｘ間の縦断面図であり、図４（ｂ）は図２に示すＹ−Ｙ間の縦断面図であり、図４（ｃ）は図２に示すＺ−Ｚ間の縦断面図である。また、図５（ａ）は扉部３が開けられた状態のときのガイド部移動手段６を表す横断面図であり、図５（ｂ）は扉部３が閉じられた状態のときのガイド部移動手段６を表す横断面図である。
図３−図５に示すように、ガイド部移動手段６は、ガイド部４を図５（ｂ）に示す第１の位置と図５（ｃ）に示す第２の位置との間で移動させる手段であり、ロール体収容室２０内に設けられている。このガイド部移動手段６は、扉部３の開閉動作に連動して作動する。具体的には、ガイド部移動手段６によって、扉部３の開動作に連動してガイド部４が第２の位置に移動し、また、扉部３の閉動作に連動してガイド部４が第１の位置に移動する。
【００２９】
詳しく説明すると、ガイド部移動手段６は、スライダー６０と、コイルスプリング６１（本発明の付勢部材に相当する。）と、を備えている。スライダー６０は、扉部３の閉動作に伴い扉部３に設けられた押圧部３７によって押圧されてスライドするものであり、ロール体Ａの端面に対向するロール体収容室２０の壁面、つまり本体部２の側壁２４の内面に沿ってスライド可能に設けられている。具体的に説明すると、側壁２４の内面には、前前方向に延在するスライダー用凹溝２４ａが形成されており、このスライダー用凹溝２４ａの内側にスライダー６０が嵌め込まれている。このスライダー用凹溝２４ａの前端は、側壁２４の前端まで延設されており、扉部３が開けられると本体部２の前方に向かって開放され、扉部３が閉じられると縦板部３２によって閉塞される。
【００３０】
スライダー用凹溝２４ａの上下面には、その長軸方向に延在するレール溝２４ｂがそれぞれ形成されており、これらのレール溝２４ｂには、スライダー６０の上下端面にそれぞれ突設された凸部６０ａが摺動可能にそれぞれ嵌め込まれている。これにより、スライダー６０はスライダー用凹溝２４ａに沿ってスライド可能になっている。
【００３１】
また、スライダー用凹溝２４ａの底面の上下端部には、前後方向に延在するコイルスプリング用凹溝２４ｃがそれぞれ形成されており、これらのコイルスプリング用凹溝２４ｃの内側にコイルスプリング６１がそれぞれ収容されている。コイルスプリング６１は、押圧部３７によってスライドしたスライダー６０を元の位置に戻す方向へ付勢する付勢部材であり、スライダー６０のスライド方向（前後方向）に延在している。
【００３２】
コイルスプリング用凹溝２４ｃの前端は、側壁２４の前端よりも後方側にあり、コイルスプリング用凹溝２４ｃの前端は閉塞されている。また、スライダー６０の背面（ロール体収容室２０の内方側に向けられた面の反対側の面）には、コイルスプリング用凹溝２４ｃ内に配置される壁部６０ｂが突設されている。コイルスプリング６１は、上記壁部６０ｂとコイルスプリング用凹溝２４ｃの前端面との間に介装されており、コイルスプリング６１の後端部は壁部６０ｂに取り付けられ、コイルスプリング６１の前端部はコイルスプリング用凹溝２４ｃの前端面に取り付けられている。
【００３３】
また、スライダー用凹溝２４ａの底面の中間部（上下のコイルスプリング用凹溝２４ｃ間）には、前後方向に延在する凹溝状の孔部２４ｄが形成されている。この孔部２４ｄのロール体投入口２１側（前方側）の端面（前端面２４ｅ）は、側壁２４の内面に対して垂直に形成されている。一方、孔部２４ｄのロール体投入口２１側の反対側（後方側）の端面（後端面２４ｆ）は、後方側に向かうに従い、孔部２４ｄの深さが漸次浅くなる傾斜面になっている。
【００３４】
スライダー６０の中央部には、スライド方向に延在してガイド部４を収容可能な長孔６０ｃが形成されている。この長孔６０ｃの後端部には、上下方向に延在する回転軸部６２が設けられている。この回転軸部６２には、水平方向に延在するガイド部４が突設されているとともに、ガイド部４の中心軸線Ｐに交差する方向に延在するピン状の係合部６３が突設されている。係合部６３は、上記した孔部２４ｄの中に挿入可能なものであり、ガイド部４に対して略直交する方向に延在している。
上記したガイド部４は、トーションバネ等の図示せぬ弾性部材によって、ガイド部４が長孔６０ｃ内に収容される位置（図５（ａ）に示す位置）に配置されるように付勢されている。
なお、上記したガイド部移動手段６は、本体部２の両側の側壁２４にそれぞれ設けられており、ガイド部４は、両側の側壁２４からそれぞれ突出される構成になっている。
【００３５】
次に、上記した構成からなる連続紙処理装置１の作用について説明する。
【００３６】
まず、上記した連続紙処理装置１において、扉部３が閉じられている際、図１に示すように、スライダー用凹溝２４ａ内に押圧部３７が差し込まれ、この押圧部３７の先端面がスライダー６０の前端面は押圧して、スライダー６０がスライダー用凹溝２４ａの後端部に押し込まれた状態になっている。このとき、図５（ｂ）に示すように、係合部６３は、スライダー用凹溝２４ａの底面に摺接されており、ガイド部４は、側壁２４の内面からロール体投入口２１の内方側に向けて突出されている。
【００３７】
次に、ロール体Ａを交換する際、まず、扉部３を開けて、ロール体投入口２１を開放させる。扉部３が開けられると、押圧部３７が扉部３とともに前方に移動し、スライダー用凹溝２４ａの前端から引き抜かれる。これにより、押圧部３７によるスライダー６０への押圧が解除される。このようにスライダー６０への押圧が解除されると、コイルスプリング６１の付勢によってスライダー６０がスライダー用凹溝２４ａに沿って前方にスライドする。そして、係合部６３が孔部２４ｄのところまで移動したところで、係合部６３がスライダー用凹溝２４ａの底面から外れ、図示せぬ弾性部材の弾性力によって係合部６３及びガイド部４が回転軸部６２を中心に回転する。これにより、係合部６３が孔部２４ｄ内に挿入されるとともに、ガイド部４が、スライダー６０の長孔６０ｃ内に収容されて側壁２４の内面に沿って、ロール体Ａと引き出し部Ａ２との間から外した第２の位置に配置される。そして、スライダー６０がさらに前方にスライドすると、図５（ａ）に示すように、係合部６３が孔部２４ｄの前端面２４ｅに当接し、スライダー６０のスライドが所定の位置で停止する。このように、扉部３の開動作と同時に、ガイド部４が移動して第２の位置に配置されてロール体Ａと連続紙Ａ１の引き出し部Ａ２との間の外に出される。
【００３８】
また、扉部３が開けられると、扉部３の傾斜板部３１が水平になり、底板部３０及び縦板部３２が逆ハ字状（略Ｖ字状）に配置される。このとき、ロール体収容室２０内のロール体Ａは、扉部３の揺動（開動作）とともに転動し、傾斜板部３１上に載せられる。
【００３９】
次に、図２に示すように、傾斜板部３１上のロール体Ａを取り除くとともに、ロール体投入口２１から新たなロール体Ａを投入し、傾斜板部３１上に新たなロール体Ａを載せる。このとき、新たなロール体Ａは、前方側の台座３４Ｂの上面（傾斜面３４ｂ）と仮台座３３の上面（傾斜面３３ａ）とにより支持される。また、新たなロール体Ａは、そのロール体Ａのうちの上部から連続紙Ａ１が引き出されるような向きに配置するとともに、ロール体Ａから引き出した連続紙Ａ１をプラテンローラ５１の上に載せておく。
【００４０】
次に、扉部３を閉じて、ロール体投入口２１を閉塞する。このとき、傾斜板部３１上のロール体Ａは、扉部３の揺動（閉動作）とともに転動し、底板部３０上に載せられ、一対の台座３４Ａ，３４Ｂの上面（傾斜面３４ａ、３４ｂ）により支持される。また、プラテンローラ５１に載せられた連続紙Ａ１は、プラテンローラ５１と処理ヘッド５０との間に挟み込まれる。
【００４１】
また、扉部３が閉じられると、押圧部３７が扉部３とともに円弧状に移動し、スライダー用凹溝２４ａの前端からスライダー用凹溝２４ａ内に差し込まれ、さらに、扉部３の閉動作に伴い、スライダー用凹溝２４ａに沿って後方に移動する。これにより、押圧部３７の先端面がスライダー６０の前端面を押圧し、スライダー６０がスライダー用凹溝２４ａに沿って後方へスライドする。そして、係合部６３が孔部２４ｄの後端面２４ｆのところまでくると、係合部６３の先端部が、傾斜した後端面２４ｆ上を摺動する。これにより、ガイド部４及び係合部６３は、回転軸部６２を中心に回転する。また、係合部６３が傾斜面（後端面２４ｆ）上を摺動してガイド部４が回動するので、係合部６３が孔部２４ｄから外れる際の衝撃（負荷）が軽減され、ガイド部４がスムーズに回動する。続いて、スライダー６０がさらに後退し、係合部６３が孔部２４ｄの後端面２４ｆを越えると、図５（ｂ）に示すように、係合部６３がスライダー用凹溝２４ａの底面上を摺動するとともに、ガイド部４は側壁２４の内面からロール体収容室２０の内方側に向けて突出する。これにより、図１に示すように、ガイド部４によって連続紙Ａ１の引き出し部Ａ２は前方側から押さられ、引き出し部Ａ２はく字状に屈曲した状態となり、連続紙Ａ１の引き出し角度は浅くなる。このように扉部３の閉動作と同時に、ガイド部４が移動して第１の位置に配置され、連続紙Ａ１の引き出し部Ａ２が他方側から押さえられる。
【００４２】
上記した構成からなる連続紙処理装置１によれば、ガイド部４によって連続紙Ａ１の引き出し部Ａ２が押さえられ、連続紙Ａ１の引き出し角度が浅くなるため、連続紙Ａ１の引き出し時におけるロール体Ａの浮き上がりを防止することができる。
【００４３】
また、ガイド部移動手段６によってガイド部４が連続紙Ａ１の繰り出し経路の外に出されるので、ロール体Ａをロール体収容室２０に投入する際、ガイド部４が邪魔にならず、ロール体Ａを容易に投入することができ、作業性を向上させることができる。
【００４４】
さらに、ロール体収容室２０内にガイド部４及びガイド部移動手段６が設けられており、ユーザーが触れにくい場所にガイド部４及びガイド部移動手段６があるため、ガイド部４及びガイド部移動手段６に不具合が生じにくく、連続紙Ａ１の引き出し角度を確実に浅くすることができる。
【００４５】
特に、上記した連続紙処理装置１では、扉部３の開閉動作に連動して作動するガイド部移動手段６が備えられているため、ロール体Ａの交換作業は、（１）扉部３を開ける、（２）ロール体Ａを投入、或いは入れ替える、（３）扉部３を閉じる、という平易な作業となり、ユーザーにとって非常に使い易い。
【００４６】
さらに、上記した連続紙処理装置１では、ロール体収容室２０の壁面に沿ってスライドするスライダー６０を、扉部３に設けられた押圧部３７で押圧することで、ガイド部４が飛び出すガイド部移動手段６になっているので、簡易な構成で確実にガイド部４を出し入れすることができる。
【００４７】
また、上記した連続紙処理装置１では、孔部２４ｄの後端面２４ｆが傾斜面になっているので、ガイド部４が飛び出す際の衝撃が低減され、ユーザーにとって一層使い易くなる。
さらに、上記した連続紙処理装置１では、孔部２４ｄの前端面２４ｅがスライダー６０の戻りストッパーとなっており、孔部２４ｄの前端面２４ｅに係合部６３が当接してスライダー６０の戻りが停止するので、スライダー６０を所定の位置で停止させることができ、スライダー６０が戻り過ぎてスライダー用凹溝２４ａから外れることを防止することができる。
【００４８】
以上、本発明に係る連続紙処理装置の実施の形態について説明したが、本発明は上記した実施の形態に限定されるものではなく、その趣旨を逸脱しない範囲で適宜変更可能である。
例えば、上記した実施の形態では、処理部５及び扉部３がそれぞれ前面側に配設されており、ガイド部４が後面側に配設されているが、本発明の趣旨を逸脱しない範囲で、扉部３やガイド部４、処理部５等の位置は適宜変更可能であり、例えば、処理部５が上面にあってもよい。
【００４９】
また、上記した実施の形態では、ガイド部４が丸棒状の部材からなるが、本発明は、ガイド部の形状に限定されるものではなく、例えば、板状のガイド部が備えられていてもよい。
【００５０】
また、上記した実施の形態では、スライダー６０及びコイルスプリング６１を備え、扉部３の開閉動作に連動して作動するガイド部移動手段６が備えられているが、本発明のガイド部移動手段は適宜変更可能である。例えば、扉部３が閉じることでスイッチが押されてガイド部４が飛び出し、且つ扉部３が開けられることでスイッチが切れてガイド部４が収納される構造のガイド部移動手段であってもよく、或いは、扉部３の開閉動作に連動せず、ユーザーが図示せぬ操作パネル等にあるスイッチ等を操作することでガイド部４が出し入れされるガイド部移動手段であってもよい。
【００５１】
また、上記した実施の形態では、孔部２４ｄの後端面２４ｆが傾斜面になっているが、本発明は、孔部２４ｄの後端面２４ｆを、側壁２４の内面に対して垂直な垂直面にすることも可能である。
また、上記した実施の形態では、孔部２４ｄの前端面２４ｅに係合部６３が当接してスライダー６０の戻りが停止する構成になっているが、本発明は、スライダー６０が戻る際に係合部６３が孔部２４ｄの前端面２４ｅに当接しない構成にすることも可能である。例えば、レール溝２４ｂにストッパーを形成しておくことも可能である。
【００５２】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００５３】
【図１】本発明の実施の形態を説明するための扉部を閉じた状態の連続紙処理装置の断面図である。
【図２】本発明の実施の形態を説明するための扉部を開けた状態の連続紙処理装置の断面図である。
【図３】本発明の実施の形態を説明するためのガイド部移動手段の拡大図である。
【図４】本発明の実施の形態を説明するためのガイド部移動手段の縦断面図である。
【図５】本発明の実施の形態を説明するためのガイド部移動手段の横断面図である。
【符号の説明】
【００５４】
１  連続紙処理装置
２  本体部
３  扉部
４  ガイド部
５  処理部
６  ガイド部移動手段
２０  ロール体収容室
２１  ロール体投入口
２４ｄ  孔部２４ｄ
３７  押圧部
６０  スライダー
６１  コイルスプリング（付勢部材）
６２  回転軸部
６３  係合部
Ａ  ロール体
Ａ１  連続紙
Ａ２  引き出し部
Ｌ  中心基準線
【図１】
2009078522.tif 000003
【図２】
2009078522.tif 000004
【図３】
2009078522.tif 000005
【図４】
2009078522.tif 000006
【図５】
2009078522.tif 000007